【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
レンズを駆動制御して被写体に対する自動焦点調節を行うことが可能であり、前記レンズを介して得られた被写体像を表示する表示部と、前記被写体像を記録する記録部と、を備える撮影装置であって、
前記撮影装置の状態を検出する状態検出部と、
前記状態検出部によって検出された前記撮像装置の状態情報を前記被写体像と重畳させて前記表示部に表示する状態情報表示手段と、
前記被写体像の前記記録部への記録準備を指示する準備操作を受け付ける準備操作部材と、を備え、
前記状態情報表示手段は、前記準備操作部材による前記準備操作の受け付けに応じてから前記自動焦点調節が完了する以前に、前記表示部に表示されている前記状態情報の表示形態を変更する、
撮影装置。
【請求項２】
前記記録準備は、前記自動焦点調節を含み、
前記自動焦点調節の結果、前記被写体像のうち合焦状態にあると検出される被写体に対して合焦マークを重畳させて前記表示部に表示する合焦マーク表示手段を更に備え、
前記状態情報表示手段は、前記合焦マークと前記状態情報とが重畳することを回避するように前記状態情報の表示形態を制御する、
請求項１に記載の撮影装置。
【請求項３】
前記状態検出部は、前記撮影装置の傾きを検出する傾き検出部を備え、
前記状態情報表示手段は、前記傾き検出部によって検出された傾き情報を前記被写体像に重畳させて前記表示部に表示する、
請求項１又は請求項２に記載の撮影装置。
【請求項４】
前記被写体像の前記記録部への記録を指示する記録操作を受け付ける記録操作部材と、
前記記録操作部材による前記記録操作の受け付けに応じて、前記傾き検出部によって検出された傾きに基づいて前記被写体像が水平になるように補正する水平補正手段と、を更に備え、
前記状態情報表示手段は、前記準備操作部材による前記準備操作の受け付けに応じて、前記表示部に表示している前記傾き情報を、前記傾き検出部によって検出された傾きから前記水平補正手段が補正可能な傾きを差し引いた値に基づいた傾き情報とした上で前記表示部に表示することにより、前記状態情報の表示形態を制御する、
請求項３に記載の撮影装置。
【請求項５】
前記状態検出部は、前記被写体像の輝度を検出する輝度検出部を備え、
前記輝度検出部によって検出された輝度に基づいて露出情報を決定する露出決定手段を更に備え、
前記状態情報表示手段は、前記露出情報を、前記状態情報として前記表示部に表示する、
請求項１から請求項４の何れか一項に記載の撮影装置。
【請求項６】
前記状態情報表示手段は、前記準備操作部材による前記準備操作の受け付けに応じて、前記表示部に表示する前記状態情報の表示位置、形、色の何れか１つ又はそれらの組合せを変更する、
請求項１から請求項５の何れか一項に記載の撮影装置。
【請求項７】
レンズを駆動制御して被写体に対する自動焦点調節を行うことが可能であり、前記レンズを介して得られた被写体像を表示する表示部と、前記被写体像を記録する記録部と、を備える撮影装置における表示制御方法であって、
前記撮影装置の状態を検出する状態検出ステップと、
前記状態検出ステップにおいて検出された前記撮像装置の状態情報を前記被写体像と重畳させて前記表示部に表示する状態情報表示ステップと、
前記被写体像の前記記録部への記録準備を指示する準備操作を受け付ける準備操作受付ステップと、を含み、
前記状態情報表示ステップにおいて、前記準備操作受付ステップにおける前記準備操作の受け付けに応じてから前記自動焦点調節が完了する以前に、前記表示部に表示されている前記状態情報の表示形態を変更する、
表示制御方法。
【請求項８】
前記記録準備は、前記自動焦点調節を含み、
前記自動焦点調節の結果、前記被写体像のうち合焦状態にあると検出される被写体に対して合焦マークを重畳させて前記表示部に表示する合焦マーク表示ステップを更に含み、
前記状態情報表示ステップにおいて、前記合焦マークと前記状態情報とが重畳することを回避するように前記状態情報の表示形態を制御する、
請求項７に記載の表示制御方法。
【請求項９】
前記状態検出ステップは、前記撮影装置の傾きを検出する傾き検出ステップを含み、
前記状態情報表示ステップにおいて、前記傾き検出ステップにおいて検出された傾き情報を前記被写体像に重畳させて前記表示部に表示する、
請求項７又は請求項８に記載の表示制御方法。
【請求項１０】
前記被写体像の前記記録部への記録を指示する記録操作を受け付ける記録操作受付ステップと、
前記記録操作受付ステップにおける前記記録操作の受け付けに応じて、前記傾き検出ステップで検出された傾きに基づいて前記被写体像が水平になるように補正する水平補正ステップと、を更に含み、
前記状態情報表示ステップにおいて、前記準備操作受付ステップにおける前記準備操作の受け付けに応じて、前記表示部に表示している前記傾き情報を、前記傾き検出ステップで検出された傾きから前記水平補正ステップにおいて補正可能な傾きを差し引いた値に基づいた傾き情報とした上で前記表示部に表示することにより、前記状態情報の表示形態を制御する、
請求項９に記載の表示制御方法。
【請求項１１】
前記状態検出ステップは、前記被写体像の輝度を検出する輝度検出ステップを含み、
前記輝度検出ステップにおいて検出された輝度に基づいて露出情報を決定する露出決定ステップを更に備え、
前記状態情報表示ステップにおいて、前記露出情報を、前記状態情報として前記表示部に表示する、
請求項７から請求項１０の何れか一項に記載の表示制御方法。
【請求項１２】
前記状態情報表示ステップにおいて、前記準備操作受付ステップにおける前記準備操作の受け付けに応じて、前記表示部に表示する前記状態情報の表示位置、形、色の何れか１つ又はそれらの組合せを変更する、
請求項７から請求項１１の何れか一項に記載の表示制御方法。
【請求項１３】
レンズを駆動制御して被写体に対する自動焦点調節を行うことが可能であり、前記レンズを介して得られた被写体像を表示する表示部と、前記被写体像を記録する記録部と、を備える撮影装置の制御に用いられるプログラムであって、
前記撮影装置の状態を検出する状態検出ステップと、
前記状態検出ステップにおいて検出された前記撮像装置の状態情報を前記被写体像と重畳させて前記表示部に表示する状態情報表示ステップと、
前記被写体像の前記記録部への記録準備を指示する準備操作を受け付ける準備操作受付ステップと、を含み、
前記状態情報表示ステップにおいて、前記準備操作受付ステップにおける前記準備操作の受け付けに応じてから前記自動焦点調節が完了する以前に、前記表示部に表示されている前記状態情報の表示形態を変更する、
コンピュータプログラム。
【請求項１４】
前記記録準備は、前記レンズの自動焦点調節を含み、
前記自動焦点調節の結果、前記被写体像のうち合焦状態にあると検出される被写体に対して合焦マークを重畳させて前記表示部に表示する合焦マーク表示ステップを更に含み、
前記状態情報表示ステップにおいて、前記合焦マークと前記状態情報とが重畳することを回避するように前記状態情報の表示形態を制御する、
請求項１３に記載のコンピュータプログラム。
【請求項１５】
前記状態検出ステップは、前記撮影装置の傾きを検出する傾き検出ステップを含み、
前記状態情報表示ステップにおいて、前記傾き検出ステップにおいて検出された傾き情報を前記被写体像に重畳させて前記表示部に表示する、
請求項１３又は請求項１４に記載のコンピュータプログラム。
【請求項１６】
前記被写体像の前記記録部への記録を指示する記録操作を受け付ける記録操作受付ステップと、
前記記録操作受付ステップにおける前記記録操作の受け付けに応じて、前記傾き検出ステップで検出された傾きに基づいて前記被写体像が水平になるように補正する水平補正ステップと、を更に含み、
前記状態情報表示ステップにおいて、前記準備操作受付ステップにおける前記準備操作の受け付けに応じて、前記表示部に表示している前記傾き情報を、前記傾き検出ステップで検出された傾きから前記水平補正ステップにおいて補正可能な傾きを差し引いた値に基づいた傾き情報とした上で前記表示部に表示することにより、前記状態情報の表示形態を制御する、
請求項１５に記載のコンピュータプログラム。
【請求項１７】
前記状態検出ステップは、前記被写体像の輝度を検出する輝度検出ステップを含み、
前記輝度検出ステップにおいて検出された輝度に基づいて露出情報を決定する露出決定ステップを更に備え、
前記状態情報表示ステップにおいて、前記露出情報を、前記状態情報として前記表示部に表示する、
請求項１３から請求項１６の何れか一項に記載のコンピュータプログラム。
【請求項１８】
前記状態情報表示ステップにおいて、前記準備操作受付ステップにおける前記準備操作の受け付けに応じて、前記表示部に表示する前記状態情報の表示位置、形、色の何れか１つ又はそれらの組合せを変更する、
請求項１３から請求項１７の何れか一項に記載のコンピュータプログラム。